(57)【要約】      （修正有）【課題】コードブックサブセット情報の送信方法、無線基地局、コードワード検知方法及び移動局を提供する。【解決手段】複数のコードワードが含まれたコードブックを予め記憶する無線基地局において、コードブックサブセット情報を生成し、生成されたコードブックサブセット情報を移動局へ送信する。コードブックサブセットは、該コードブックの一部を含み、コードブックサブセット情報は、検知を行うときに移動局より使用されるコードワードを指示する。【選択図】図１
2017038369.tif 000002
【特許請求の範囲】
【請求項１】
複数のコードワードが含まれたコードブックを予め記憶した無線基地局に適用されるコードブックサブセット情報を送信する方法であって、
前記コードブックにおけるコードブックサブセットに関するコードブックサブセット情報を生成することと、
生成されたコードブックサブセット情報を移動局へ送信することと、を備え、
前記コードブックサブセットは、前記コードブックの一部を含み、前記コードブックサブセット情報は、検知を行うときに移動局より使用されるコードワードを指示する、コードブックサブセット情報の送信方法。
【請求項２】
前記コードブックは、異なる空間次元に関する第１コードブックサブセットと第２コードブックサブセットを備え、
前記コードブックサブセット情報は、第１コードブックサブセットに関する第１サブセット情報と第２コードブックサブセットに関する第２サブセット情報を含み、
前記第１サブセット情報は、検知するときに移動局より使用される、第１コードブックサブセットにおける第１コードワードを指示し、
前記第２サブセット情報は、検知するときに移動局より使用される、第２コードブックサブセットにおける第２コードワードを指示する請求項１に記載の方法。
【請求項３】
前記無線基地局におけるアンテナポートのレイアウトに基づいて前記第１サブセット情報の長さと前記第２サブセット情報の長さを決定し、
前記方法は、
前記第１サブセット情報の長さおよび／または前記第２サブセット情報の長さを指示する長さ情報を移動局へ送信することを更に備える、請求項２に記載の方法。
【請求項４】
前記コードブックサブセット情報はサンプリング周波数を含み、
前記サンプリング周波数に基づいてコードブックにおけるコードワードをダウンサンプリングすることにより取得されたコードワードを前記コードブックサブセットとし、
前記コードブックサブセットに含まれるコードワードは、検知を行うときに移動局より使用されるコードワードである請求項１に記載の方法。
【請求項５】
移動局がダウンサンプリングにより取得されたコードワードを使用して検知を行った検知結果を受信することと、
前記検知結果に基づいて、再検知を行うときに移動局より使用されるコードワードの最初の位置を指示するコードワードオフセット情報を生成することと、
生成されたコードワードオフセット情報と、再検知を行うときに移動局より使用されるコードワードの量を指示する検知の長さ情報を移動局へ送信することとを更に備える請求項４に記載の方法。
【請求項６】
前記コードブックサブセット情報は、コードワードオフセット情報と検知の長さ情報を含み、
前記コードワードオフセット情報は、前記コードブックにおいて、検知を行うときに移動局より使用されるコードワードの最初の位置を指示し、
前記検知の長さ情報は、検知を行うときに移動局より使用されるコードワードの量を指示し、
コードワードオフセット情報と検知の長さ情報に基づいて決定されたコードワードを前記コードブックサブセットをとし、
前記コードブックサブセットに含まれたコードワードは検知を行うときに移動局より使用されるコードワードである、請求項１に記載の方法。
【請求項７】
前記コードブックにおけるコードブックサブセットに関するコードブックサブセット情報を生成することは、
前記無線基地局と前記無線基地局に接続された移動局との間の位置関係に基づいて、前記コードブックにおけるコードブックサブセットに関するコードブックサブセット情報を生成すること、を備える請求項１に記載の方法。
【請求項８】
前記無線基地局と前記無線基地局に接続された移動局との間の位置関係は、前記無線基地局と前記無線基地局に接続可能な全ての移動局との間で共同な位置関係である、請求項７に記載の方法。
【請求項９】
前記無線基地局と前記無線基地局に接続された移動局との間の位置関係は、前記無線基地局と前記無線基地局に接続された特定な移動局との間の位置関係である、請求項７に記載の方法。
【請求項１０】
シグナリングオーバヘッドおよび／または移動局の検知に必要な処理量に基づいて移動局の検知に必要なコードワードの量を決定する、請求項１〜９のいずれか一項に記載の方法。
【請求項１１】
システム情報のシグナリング又はＲＲＣシグナリングを送信することにより、前記コードブックサブセット情報を移動局へ送信する、請求項１〜９のいずれか一項に記載の方法。
【請求項１２】
前記コードブックは長期間コードブック又は瞬間コードブックである、請求項１〜９のいずれか一項に記載の方法。
【請求項１３】
前記コードブックにおけるコードブックサブセットに関するコードブックサブセット情報を生成するように配置される制御手段と、
生成されたコードブックサブセット情報を移動局へ送信するように配置される送信手段と、を備え、
前記コードブックサブセットは、前記コードブックの一部を含む、前記コードブックサブセット情報は、移動局の検知に必要なコードワードを指示する、無線基地局。
【請求項１４】
複数のコードワードが含まれたコードブックを予め記憶する移動局に適用されるコードワードを検知する方法であって、
前記コードブックにおける、前記コードブックの一部を含むコードブックサブセットに関するコードブックサブセット情報を無線基地局から受信すること、
受信されたコードブックサブセット情報に基づいて検知するときに使用されるコードワードを決定すること、
決定されたコードワードを使用して検知を行うこと、を備える方法。
【請求項１５】
前記コードブックは、異なる空間次元に関する第１コードブックサブセットと第２コードブックサブセットを備え、
前記コードブックサブセット情報は、第１コードブックサブセットに関する第１サブセット情報と第２コードブックサブセットに関する第２サブセット情報を含み、
前記受信されたコードブックサブセット情報に基づいて検知に要するコードワードを決定することは、
第１サブセット情報に応じ、第１コードブックサブセットにおいて第１コードワードを検定することと、
第２サブセット情報に応じ、第２コードブックサブセットにおいて第２コードワードを検定することとを備え、
前記決定されたコードワードを使用して検知を行うことは、
第１コードワードと第２コードワードとで所定な演算を行って候補コードワードを生成すること、
生成された候補コードワードを使用して検知を行うことを備える、請求項１４に記載の方法。
【請求項１６】
前記第１サブセット情報の長さと前記第２サブセット情報の長さを指示する長さ情報を無線基地局から受信すること、
前記長さ情報に応じ、受信されたコードブックサブセット情報から第１サブセット情報と第２サブセット情報を取得すること、を更に備える請求項１５に記載の方法。
【請求項１７】
前記コードブックサブセット情報はサンプリング周波数を含み、
前記受信されたコードブックサブセット情報に基づいて検知するときに使用されるコードワードを決定することは、
前記サンプリング周波数に基づいてコードブックにおけるコードワードをダウンサンプリングすると共に、ダウンサンプリングにより取得されたコードワードを前記コードブックサブセットとすること、
前記コードブックにおけるコードワードを検知するときに使用されるコードワードとすることを備える、請求項１４に記載の方法。
【請求項１８】
ダウンサンプリングにより取得されたコードワードを使用して検知を行う検知結果を無線基地局へ送信すること、
前記検知結果に基づいて生成されたコードワードオフセット情報と検知の長さ情報を無線基地局から受信すること、
コードワードオフセット情報と検知の長さ情報に応じ、コードブックにおいて再検知するときに使用されるコードワードを決定すること、
決定されたコードワードを使用して再検知を行うこと、を更に備える請求項１７に記載の方法。
【請求項１９】
前記コードブックサブセット情報はコードワードオフセット情報と検知の長さ情報を含み、
前記コードワードオフセット情報は、前記コードブックにおいて、検知を行うときに移動局より使用されるコードワードの最初の位置を指示し、
前記検知の長さ情報は検知を行うときに移動局より使用されるコードワードの量を指示し、
前記受信されたコードブックサブセット情報に基づいて検知に要するコードワードを決定することは、
コードワードオフセット情報と検知の長さ情報に基づいて決定されたコードワードを前記コードブックサブセットとすること、
前記コードブックサブセットにおけるコードワードを検知するときに使用されるコードワードとする、
請求項１４に記載の方法。
【請求項２０】
検知するときに使用されるコードワードの量の閾値を予め記憶し、
前記方法は、
受信されたコードブックサブセット情報に基づいて決定された、検知するときに使用されるコードワードの量は前記量の閾値を超えると、エラー信号を生成することを更に備える、請求項１４〜１９のいずれか一項に記載の方法。
【請求項２１】
前記コードブックにおける、前記コードブックの一部を含むコードブックサブセットに関するコードブックサブセット情報を無線基地局から受信するように配置される受信手段と、
受信されたコードブックサブセット情報に基づいて検知するときに使用されるコードワードを決定すると共に、決定されたコードワードを使用して検知を行う制御手段と、を備える移動局。
【発明の詳細な説明】
【技術分野】
【０００１】
本発明はコードブックサブセット情報送信方法、基地局、コードワードを検知する方法及び移動局に関し、さらに具体的に、マルチアンテナ技術を採用する通信システムにおけるコードブックサブセット情報送信方法、基地局、コードワード検知方法及び移動局に関する。
【背景技術】
【０００２】
ＭＩＭＯ技術は、複数のアンテナを配置することによってダイバーシチ方式あるいはマルチプレックス方式でデータ伝送を行うことで、無線ネットワークにおける容量を著しく向上させる。従来の通信システムでは、水平次元において複数のユーザ装置（ＵＥ）を区別するために、通常、基地局に１次元配列として並んだ複数のアンテナが設けられる。しかし、例えばマクロセルやスモールセルのような３次元セルにおいて、ＵＥが異なる高さに位置することがある。例えば、建物における異なるフロアには複数のＵＥが分布され得る。この場合、伝統的に、水平次元のみにおいて複数のＵＥからなる直線配列を区別することによって、異なる高さに位置する複数のＵＥの区分を確実に行うのが困難である。そこで、基地局と移動局との間の信号伝送品質をさらに向上させ、無線通信システムのスループットを増大するため、２次元アンテナアレイという技術が提案された。このことにより、垂直次元において空間ダイバーシチを拡張させることが可能になる。
【０００３】
通常、無線基地局と移動局に予めアンテナアレイに対するコードブックが記憶される。移動局は、コードブックに含まれた複数のコードワードに対してチャネル検出を行うことにより、無線基地局との信号伝送を行うときに使われるコードワードを当該複数のコードワードから選べる。移動局がコードブックに含まれたコードワードに対してそれぞれチャネル検出を行うと、移動局の処理負担が大きくなり、かかる時間も長くなる。チャネル検出の煩雑性を低減するため、コードブックにおけるコードワードが検知されるべきか否かをコードワード毎に判断し、当該判断結果を移動局に通知することが提案された。しかし、アンテナアレイの規模の増加に伴い、アンテナアレイに対応されたコードブックにおけるコードワードの量も増やし、従って、コードブックにおける各々のコードワードが検知されるべきか否かについて移動局への通知に要するシグナリングも増やしてしまう。
【発明の概要】
【発明が解決しようとする課題】
【０００４】
本発明によれば、通信システムにおけるシグナリングオーバヘッドを低減するため、検出が必要なコードブックにおけるコードワードを移動局に通知する新たな方法、コードワード検知方法及びその装置を提供する。
【課題を解決するための手段】
【０００５】
本発明の一態様は、複数のコードワードが含まれるコードブックを予め記憶した無線基地局に適用されるコードブックサブセット情報を送信する方法を提供する。この方法は、コードブックにおけるコードブックサブセットに関するコードブックサブセット情報を生成することと、生成されたコードブックサブセット情報を移動局へ送信することとを備える。前記コードブックサブセットは、該コードブックにおけるコードワードの一部を含み、前記コードブックサブセット情報によって、チャンネルを検知するときに移動局より使用されるコードワードを指示する。
【０００６】
本発明の他の態様は、無線基地局を提供する。この無線基地局は、コードブックにおけるコードブックサブセットに関するコードブックサブセット情報を生成するように配置される制御手段と、生成されたコードブックサブセット情報を移動局へ送信するように配置される送信手段とを備える。前記コードブックサブセットは、コードブックにおけるコードワードの一部を含み、コードブックサブセット情報は、チャンネルを検知するときに移動局より使用されるコードワードを指示する。
【０００７】
本発明の他の態様は、複数のコードワードが含まれるコードブックを予め記憶した移動局に適用されるコードワードの検知方法を提供する。このコードワードの検知方法は、コードブックにおけるコードブックサブセットに関するコードブックサブセット情報を無線基地局から受信することと、受信されたコードブックサブセット情報に基づいて検知するときに使用されるコードワードを決定することと、決定されたコードワードを利用して検知を行うことと、を備える。前記コードブックサブセットは、コードブックにおけるコードワードの一部を含む。
【０００８】
本発明の他の態様は、移動局を提供する。この移動局は、コードブックにおけるコードブックサブセットに関するコードブックサブセット情報を無線基地局から受信するように配置される受信手段と、受信されたコードブックサブセット情報に基づいて検知するときに利用されるコードワードを決定すると共に、決定されたコードワードを利用して検知を行う制御手段と、を備える。前記コードブックサブセットは、該コードブックにおけるコードワードの一部を含む。
【発明の効果】
【０００９】
本発明の上述した態様に係る技術案によれば、コードブックセットに含まれる複数のコードワードの一部をコードブックサブセットとして決定しておき、無線基地局からコードブックサブセットにおけるコードワードの情報を移動局に通知することによって、コードブックにおいてどのコードワードの検知が必要であるかを移動局に効率的に通知するとともに、通信システムのシグナリングオーバヘッドを低減させることになる。
【図面の簡単な説明】
【００１０】
本発明の実施例について、添付図面を参照して詳細に説明することにより、本発明の上述並びに他の目的、特徴、及びメリットはより明確になる。
【図１】図１は本発明の実施例に係るコードブックサブセット情報を送信する方法のフローチャートを示す。
【図２】図２は無線基地局と無線基地局に接続された移動局との間の位置関係の一例状況を示す説明図である。
【図３】図３は無線基地局と無線基地局に接続された移動局との間の位置関係のもう一つの具体例状況を示す説明図である。
【図４】図４は本発明の実施例に係る無線基地局のブロック図を示す。
【図５】図５は本発明の一実施例に係るコードワード検知方法を説明するフローチャートである。
【図６】図６は本発明の実施例に係る移動局のブロック図を示す。
【発明を実施するための形態】
【００１１】
以下、本発明の実施例における情報送信方法、移動局及び基地局について、添付図面を参照して説明する。図面において、同一の符号は一貫して同一の素子を表す。理解すべきなのは、ここで説明される実施例は説明的なものに過ぎず、本発明の範囲を限定するものと解釈してはならない。
【００１２】
図１は、本発明の一実施例に係るコードブックサブセット情報を送信する方法１００を説明するフローチャートである。コードブックサブセット情報を送信する方法１００は無線基地局より実行される。本発明に係る実施例において、基地局には、空間ドメインの水平次元および／または垂直次元においてダイバーシチを行うように、アンテナアレイが配置される。また、無線基地局と移動局では複数のコードワードを含むコードブックが予め記憶される。以下、本発明の一実施例に係るコードブックサブセット情報を送信する方法１００について、図１を参照して説明する。
【００１３】
図１に示すように、ステップＳ１０１において、コードブックにおけるコードブックサブセットに関するコードブックサブセット情報を生成する。具体的に、コードブックサブセットはコードブックの一部を含み、且つコードブックサブセット情報は、チャンネル検知を行うときに移動局より使用されるコードワードを指示する。本発明の具体例によれば、コードブックは長期間コードブックであってもよいし、瞬間コードブックであってもよい。言い換えれば、コードブックサブセットは長期間コードブックの一部を含んでもよいし、瞬間コードブックの一部を含んでもよい。なお、シグナリングオーバヘッドおよび／または移動局の検知に必要な処理量に基づいて移動局の検知に必要なコードワードの量を決定すれば良い。
【００１４】
そして、ステップＳ１０２において、生成されたコードブックサブセット情報を移動局へ送信し、移動局によりコードブックサブセット情報に基づいてチャネル検出を行うときに使用されるコードワードを決定する。本発明の一例によれば、コードブックサブセット情報は、無線基地局の配下のあるセルに対するものであってもよいし、セルにおけるあるユーザグループに対するものであってもよいし、さらに無線基地局と通信するあるユーザに対するものであってもよい。また、システム情報シグナリングにてコードブックサブセット情報を移動局へ送信できる。代わりに、ＲＲＣシグナリングにてコードブックサブセット情報を移動局へ送信してもよい。
【００１５】
本発明の一例によれば、コードブックにおけるコードワードは複数のコードブックサブセットにおけるコードワードによって構成される。具体的には、異なる空間次元に基づいて、予めコードブックを第１コードブックサブセットと第２コードブックサブセットに分け、分けられた第１コードブックサブセットと第２コードブックサブセットを記憶することとなる。例えば、コードブックは、予め垂直次元に対する第１コードブックサブセットと水平次元に対する第２コードブックサブセットに分けられる。分解する前のコードブックにおけるコードワードは、第１コードブックサブセットにおけるコードワードと第２コードブックサブセットにおけるコードワードについて、所定な演算を行うことにより取得される。第１コードブックサブセットにおけるコードワードの量と第２コードブックサブセットにおけるコードワードの量との和は、分解する前のコードブックにおけるコードワードの量より小さくなる。例えば、第１コードブックサブセットにおけるコードワードと第２コードブックサブセットにおけるコードワードについて、クロネッカー積を行ってコードブックにおけるコードワードを取得できる。
【００１６】
この場合、ステップＳ１０１において生成されたコードブックサブセット情報は、第１コードブックサブセットに関する第１サブセット情報と、第２コードブックサブセットに関する第２サブセット情報を含む。第１サブセット情報は、検知するときに移動局より使用される、第１コードブックサブセットにおける第１コードワードを指示し、第２サブセット情報は、検知するときに移動局より使用される、第２コードブックサブセットにおける第２コードワードを指示する。
【００１７】
例えば、第１サブセット情報は、第１コードブックサブセットに対する第１ビットマップであっても良い。具体的に、第１ビットマップでは、第１コードブックサブセットにおける各々のコードワードに対応するビットが含まれる。第１ビットマップにおいて、１つのビットのビット値は１となると、移動局が検知するときに第１コードブックサブセットにおいて当該ビットに対応するコードワードを使用することを指示する。また、第１ビットマップにおいて、１つのビットのビット値は０となると、移動局が検知するときに第１コードブックサブセットにおいて当該ビットに対応するコードワードを使用しないことを指示する。同様に、第２サブセット情報は、第２コードブックサブセットに対する第２ビットマップであり、第２コードブックサブセットにおける各々のコードワードが検知するときに使用されるか否かについて指示する。上述したように、本発明に係る具体例においては、第１コードブックサブセットにおけるコードワードの量と第２コードブックサブセットにおけるコードワードの量との和は、分解する前のコードブックにおけるコードワードの量より小さい。これに対応し、第１ビットマップにおけるビットの量と第２ビットマップにおけるビットの量との和は、分解する前のコードブックに対するビットマップに含まれたビットの量よりも小さい。そのため、第１ビットマップと第２ビットマップを送信するためのシグナリングオーバヘッドはより少ない。
【００１８】
また、異なる空間次元に基づいて予めコードブックを第１コードブックサブセットと第２コードブックサブセットに分解する際、第１コードブックサブセットと第２コードブックサブセットの次元は、無線基地局におけるアンテナポートのレイアウトに基づいて決定されることが好ましい。且つ、第１コードブックサブセットに対応する第１サブセット情報の長さと第２コードブックサブセットに対応する第２サブセット情報の長さも、相応的に決定される。この場合、図１に示される方法はさらに、第１サブセット情報の長さおよび／または第２サブセット情報の長さを指示する長さ情報を移動局へ送信することを備える。このことにより、移動局は、長さ情報に基づいて第１サブセット情報と第２サブセット情報をコードブックサブセット情報から抽出できる。
【００１９】
本発明のもう一つの具体例によれば、移動局が選択されたコードブックサブセットにおけるコードワードを使用して検知を行うことを容易にするため、コードブックにおける一部のコードワードをコードブックサブセットとして選択し、選択されたコードブックサブセットを移動局に通知してもよい。
【００２０】
例えば、コードブックサブセット情報はサンプリング周波数を含んでもよい。この場合、サンプリング周波数に基づいてコードブック全体におけるコードワードをダウンサンプリングする共に、ダウンサンプリングより取得されたコードワードはコードブックサブセットとなされる。移動局はコードブックサブセットにおける各々のコードワードを使用して検知を行なってよい。本具体例において、無線基地局は、コードワードごとに該コードワードが検知に使用されるべきか否かについて移動局に通知する必要がなく、サンプリング周波数を含むコードブックサブセット情報のみを通知すれば、検知するときに使用されるコードワードを決定できるので、シグナリングオーバヘッドは少なくなる。また、無線基地局と移動局には、コードブックにおける各々のコードワードに夫々対応する複数のコードワードインデックスが予め記憶されることが好ましい。また、サンプリング周波数に基づいてコードブック全体におけるコードワードをダウンサンプリングする際には、サンプリング周波数より指示される間隔をもって複数のコードワードインデックスから一部のコードワードインデックスを抽出しておき、抽出された一部のコードワードインデックスに対応するコードワードを、コードブックから取得し、コードブックサブセットとすることが可能である。例えば、コードブックのコードワードインデックスの順位を１から６４までとし、サンプリング周波数を１０とすると、コードブックインデックス１〜６４から１０個のコードワードの間隔で索引し（１、１１、２１、３１、４１、５１、６１）、抽出されたインデックスに対応するコードワードをコードブックから取得し、コードブックサブセットとする。なお、コードブックにおける各々コードワードは、無線基地局から放射された、空間中で異なる方向となる信号に対応でき、近接している方向には常に類似したチャネル品質がある。移動局は、コードブックにおけるコードワードについてダウンサンプリングし、取得されたコートワードを使用して検知を行うことにより、放射空間全体をカバーした、代表性を有する方向におけるチャネル状態を取得しながら、類似したチャネル状態を有する方向について重複に検知することを回避でき、移動局の操作は簡単化された。
【００２１】
また、例えば、コードブックサブセット情報は、コードワードオフセット情報と検知の長さ情報を含んでもよい。具体的に、コードワードオフセット情報は、コードブックにおいて検知を行うときに移動局より使用されるコードワードの最初の位置を指示し、検知の長さ情報は、検知を行うときに移動局より使用されるコードワードの量を指示する。この場合、コードブックにおけるコードワードは、コードワードオフセット情報と検知の長さ情報に基づいて決定され、コードブックサブセットとなされる。移動局は、コードブックサブセットにおける各々のコードワードを使用して検知を行っている。本具体例において、無線基地局も、コードワードごとに該コードワードが検知に使用されるべきか否かについて移動局に通知する必要がなく、コードワードオフセット情報と検知の長さ情報を含むコードブックサブセット情報のみを通知すれば検知するときに使用されるコードワードを決定できるので、シグナリングオーバヘッドは少なくなる。また、無線基地局と移動局には、コードブックにおける各々のコードワードに夫々対応する複数のコードワードインデックスが予め記憶されることが好ましい。複数のコードワードインデックスにおいて、コードワードオフセット情報により一つの特定のインデックスが決定され、さらに検知の長さ情報より指示された量によって当該特定のインデックスから一つまたは複数のインデックスが決定されており、そして決定されたインデックスに対応するコードワードがコードブックから取得されてコードブックサブセットとなされる。例えば、コードブックのコードワードインデックスの順位を１から６４までとし、コードワードオフセット情報を４とし、検知の長さ情報を４とすると、複数のコードワードインデックスにおいてコードワードオフセット情報により特定のインデックス４を決定でき、且つ検知の長さ情報より指示された量によって特定のインデックス４からの四つのコードワードインデックス（即ち、コードインデックス４、５、６、７）をさらに決定し、そして、決定されたインデックス（４、５、６、７）に対応するコードワードをコードブックから取得してコードブックサブセットとする。
【００２２】
なお、以上のようなサンプリング周波数及びコードワードオフセット情報と検知の長さ情報を組み合わせて移動局の検知に使用されるべきコードワードを当該移動局に知らせてもよい。例えば、コードブックにおけるコードワードをダウンサンプリングし、これによって取得されたコードワードを使用して検知を行った後、図１に示される方法は、移動局がダウンサンプリングにより取得されたコードワードを使用して検知を行なった検知結果を受信することと、検知結果に基づいてコードワードオフセット情報を生成し、生成されたコードワードオフセット情報と検知の長さ情報を移動局へ送信することとを備えてもよい。これにより、移動局がダウンサンプリングにより取得されたコードワードを使用して検知を行った検知結果を基にして、コードワードオフセット情報と検知の長さ情報に基づいて検知を再び行うことになり、確実な検知結果が得られる。例えば、ダウンサンプリングにより取得されたコードワードを利用して検知を行ったとき最適なチャネル状態を有するコードワードを参照コードワードとし、コードワードオフセット情報と検知の長さ情報に基づいて当該参照コードワード付近のコードワードの検知を行なうようと、移動局にさらに指示することが可能になる。この場合、システム情報よりサンプリング周波数を含むコードブックサブセット情報を移動局に報知することと共に、コードワードオフセット情報と検知の長さ情報は、ＲＲＣシグナリングにて移動局に通知される。
【００２３】
なお、本発明のもう一つの具体例によれば、ステップＳ１０１において、無線基地局と無線基地局に接続された移動局との間の位置関係に基づいて、コードブックにおけるコードブックサブセットに関するコードブックサブセット情報を生成してもよい。例えば、無線基地局と無線基地局に接続された移動局との間の位置関係は、無線基地局と無線基地局と接続可能な全ての移動局との間で共通している位置関係となされる。図２は、無線基地局と無線基地局に接続された移動局との間の位置関係の一例状況を示す説明図である。図２に示すように、無線基地局２００は、ビーム２１０−１，２１０−２，…，２１０−ｎを放射できる。無線基地局２００が、矢印の示すように、高所（例えば、建物の頂点）に設置されると、無線基地局に接続可能な全ての移動局はいずれも無線基地局の下方に位置される。そのため、無線基地局２００の配下セル２２０に位置する全ての移動局は、それぞれ、無線基地局２００が放射したビーム２１０−５〜２１０−８により無線基地局２００と通信するが、無線基地局２００が放射可能な他のビームを利用しない。この場合、ステップＳ１０１においては、ビーム２１０−５〜２１０−８に対応づけられるコードワードを指示するコードブックサブセット情報が生成される。ビーム２１０−５〜２１０−８に対応づけられるコードワードを指示するコードブックサブセット情報は、システム情報より移動局に報知される。
【００２４】
また、例えば、無線基地局と無線基地局に接続された移動局との間の位置関係は、無線基地局と無線基地局に接続された特定な移動局との間の位置関係であってもよい。図３は、無線基地局と無線基地局に接続された移動局との間の位置関係のもう一つの具体例状況を示す説明図である。図３に示すように、無線基地局２００の放射ビーム２１０−５〜２１０−８において、位置Ａにある移動局３１０は、無線基地局２００の放射ビーム２１０−７及び放射ビーム２１０−８に対応され、位置Ｂにある移動局３２０は、無線基地局２００の放射ビーム２１０−５及び放射ビーム２１０−６に対応される。この場合、ステップＳ１０１において、移動局３１０に対する、ビーム２１０−７，２１０−８に対応づけられるコードワードを指示するコードブックサブセット情報が生成され、移動局３２０に対する、ビーム２１０−５，２１０−６に対応づけられるコードワードを指示するコードブックサブセット情報が生成される。ＲＲＣシグナリングにてビーム２１０−７，２１０−８に対応づけられるコードワードを指示するコードブックサブセット情報が移動局３１０に送信され、ビーム２１０−５，２１０−６に対応づけられるコードワードを指示するコードブックサブセット情報が移動局３２０に送信される。また、移動局が無線基地局２００の配下セル２２０にアクセスされるときに、無線基地局２００は、まず、システム情報よりビーム２１０−５〜２１０−８に対応づけられるコードワードを指示するコードブックサブセット情報を移動局に報知し、そしてＲＲＣシグナリングにて、無線基地局と当該移動局との間の位置に対応するコードブックサブセット情報を移動局へ送信することが好ましい。
【００２５】
上述した本発明の実施例に係るコードブックサブセット情報送信方法では、コードブックセットに含まれる複数のコードワードの一部をコードブックサブセットと決定し、無線基地局は、コードブックサブセットにおけるコードワードに関する情報を移動局に通知する。これによって、コードブックにおけるどのコードワードの検知が必要であるかを移動局に効率的に通知しながら、通信システムのシグナリングオーバヘッドを低減させることになる。
【００２６】
以下、本発明の実施例に係る無線基地局について、図４を参照して説明する。図４は、本発明の実施例に係る無線基地局４００のブロック図を示す。図４に示すように、無線基地局４００は、制御手段４１０と送信手段４２０とを備える。無線基地局４００はこれらの二つのユニット以外にも他の手段を含んでもよいが、それらの手段は本発明の実施例の内容と無関係であるため、ここではその図示及び説明を省略する。また、本発明の実施例の無線基地局４００によって実行された以下の操作の詳細は上記図１〜３を参照して説明したものと同一であるので、ここで重複を回避するために同一の詳細なものについて重複の説明を省略する。
【００２７】
制御手段４１０はコードブックにおけるコードブックサブセットに関するコードブックサブセット情報を生成する。具体的には、コードブックサブセットはコードブックの一部を含み、コードブックサブセット情報は検知を行うときに移動局より使用されるコードワードを指示する。本発明に係る実施例では、コードブックは長期間コードブックであってもよいし、瞬間コードブックであってもよい。言い換えれば、コードブックサブセットは、長期間コードブックの一部を含んでもよいし、瞬間コードブックの一部を含んでもよい。なお、シグナリングオーバヘッドおよび／または移動局の検知に必要な処理量に基づいて移動局の検知に必要なコードワードの量を決定できる。
【００２８】
そして、送信手段４２０は、生成されたコードブックサブセット情報を移動局へ送信する。そして、移動局は、コードブックサブセット情報に基づいてチャネル検知を行うときに使用されるコードワードを決定する。本発明の一例によれば、コードブックサブセット情報は、無線基地局の配下のあるセルに対するものであってもよいし、セルにおけるあるユーザグループに対するものであってもよい。さらに、無線基地局と通信するあるユーザに対するものであってもよい。また、システム情報シグナリングにてコードブックサブセット情報を移動局へ送信できる。代わりに、ＲＲＣシグナリングにてコードブックサブセット情報を移動局へ送信してもよい。
【００２９】
本発明の一例によれば、コードブックにおけるコードワードは複数のコードブックサブセットにおけるコードワードによって構成される。具体的に、異なる空間次元に基づいて、予めコードブックを第１コードブックサブセットと第２コードブックサブセットに分け、分けられた第１コードブックサブセットと第２コードブックサブセットを記憶する。例えば、コードブックは、予め垂直次元に対する第１コードブックサブセットと水平次元に対する第２コードブックサブセットに分けられる。分解する前のコードブックにおけるコードワードは、第１コードブックサブセットにおけるコードワードと第２コードブックサブセットにおけるコードワードで所定な演算を行うことにより取得され、第１コードブックサブセットにおけるコードワードの量と第２コードブックサブセットにおけるコードワードの量との和は、分解する前のコードブックにおけるコードワードの量より小さくなる。例えば、第１コードブックサブセットにおけるコードワードと第２コードブックサブセットにおけるコードワードについてクロネッカー積を行い、コードブックにおけるコードワードを取得することができる。
【００３０】
この場合、制御手段４１０は、第１コードブックサブセットに関する第１サブセット情報と、第２コードブックサブセットに関する第２サブセット情報とが含まれるコードブックサブセット情報を生成できる。第１サブセット情報は、検知するときに移動局より使用される、第１コードブックサブセットにおける第１コードワードを指示し、第２サブセット情報は、検知するときに移動局より使用される、第２コードブックサブセットにおける第２コードワードを指示する。例えば、第１サブセット情報は、第１コードブックサブセットに対する第１ビットマップであり、第１コードブックサブセットにおける各々のコードワードが検知するときに使用されるか否かについて指示するものである。同様に、第２サブセット情報は、第２コードブックサブセットに対する第２ビットマップであり、第２コードブックサブセットにおける各々のコードワードが検知するときに使用されるか否かについて指示するものである。本発明に係る具体例において、第１コードブックサブセットにおけるコードワードの量と第２コードブックサブセットにおけるコードワードの量との和は、分解する前のコードブックにおけるコードワードの量より小さい。これに対応して、第１ビットマップにおけるビットの量と第２ビットマップにおけるビットの量との和は、分解する前のコードブックに対するビットマップに含まれたビットの量よりも小さい。そのため、第１ビットマップと第２ビットマップを送信するためのシグナリングオーバヘッドも少なくなる。
【００３１】
また、異なる空間次元に基づいて予めコードブックを第１コードブックサブセットと第２コードブックサブセットに分ける際に、第１コードブックサブセットと第２コードブックサブセットの次元は、無線基地局におけるアンテナポートのレイアウトに基づいて決定することが好ましい。また、制御手段４１０は、第１コードブックサブセットに対応する第１サブセット情報の長さと第２コードブックサブセットに対応する第２サブセット情報の長さを相応的に決定できる。この場合、送信手段４２０はさらに、第１サブセット情報の長さおよび／または第２サブセット情報の長さを指示する長さ情報を移動局へ送信できる。このことにより、移動局は、長さ情報に基づいて第１サブセット情報と第２サブセット情報をコードブックサブセット情報から抽出できる。
【００３２】
本発明のもう一つの具体例によれば、制御手段４１０は、移動局が選択されたコードブックサブセットにおけるコードワードを使用して検知を行うことを容易にするため、コードブックにおける一部のコードワードをコードブックサブセットとして選択し、選択されたコードブックサブセットを移動局に通知してもよい。
【００３３】
例えば、制御手段４１０が生成したコードブックサブセット情報はサンプリング周波数を含んでもよい。この場合、サンプリング周波数に基づいてコードブック全体におけるコードワードをダウンサンプリングする共に、ダウンサンプリングより取得されたコードワードはコードブックサブセットとなされる。移動局はコードブックサブセットにおける各々のコードワードを使用して検知を行う。本具体例において、無線基地局は、コードワードごとに該コードワードが検知に使用されるべきか否かについて移動局に通知する必要がなく、サンプリング周波数を含むコードブックサブセット情報のみを通知すれば、検知するときに使用されるコードワードを決定できるので、シグナリングオーバヘッドは少なくなる。無線基地局と移動局には、予めコードブックにおける各々のコードワードに夫々対応する複数のコードワードインデックスが記憶されることが好ましい。サンプリング周波数に基づいてコードブック全体におけるコードワードをダウンサンプリングする際には、サンプリング周波数より指示される間隔で、複数のコードワードインデックスから一部のコードワードインデックスを抽出しておき、抽出された一部のコードワードインデックスに対応するコードワードをコードブックから取得し、コードブックサブセットとすることが可能である。コードブックにおける各々コードワードは、無線基地局から放射された、空間中で異なる方向となる信号に対応でき、近接している方向には常に類似したチャネル品質がある。移動局は、コードブックにおけるコードワードをダウンサンプリングする共に取得されたコートワードを使用して検知を行うことにより、放射空間全体をカバーした、代表性を有する方向におけるチャネル状態を取得しながら、類似したチャネル状態を有する方向を重複に検知することを回避できるので、移動局の操作は簡単化された。
【００３４】
また、例えば、制御手段４１０が生成したコードブックサブセット情報はコードワードオフセット情報と検知の長さ情報を含んでもよい。具体的に、コードワードオフセット情報は、検知を行うときに移動局より使用されるコードワードの、コードブックにおける最初の位置を指示しつつ、検知の長さ情報は、検知を行うときに移動局より使用されるコードワードの量を指示する。この場合、コードブックにおけるコードワードはコードワードオフセット情報と検知の長さ情報に基づいて決定され、コードブックサブセットとなされる。移動局はコードブックサブセットにおける各々のコードワードを使用して検知を行う。本具体例において、無線基地局も、該コードワードが検知に使用されるべきか否かについて、コードワードごとに移動局に通知する必要がなく、コードワードオフセット情報と検知の長さ情報を含むコードブックサブセット情報のみを通知すれば、検知するときに使用されるコードワードを決定できるので、シグナリングオーバヘッドは少なくなる。また、無線基地局と移動局には、コードブックにおける各々のコードワードに夫々対応する複数のコードワードインデックスが予め記憶されることが好ましい。複数のコードワードインデックスにおいて、コードワードオフセット情報により一つの特定のインデックスが決定され、さらに検知の長さ情報より指示された量によって当該特定のインデックスから一つまたは複数のインデックスが決定される。そして、決定されたインデックスに対応するコードワードがコードブックから取得されてコードブックサブセットとなされる。
【００３５】
なお、無線基地局４００は、以上のようなサンプリング周波数及びコードワードオフセット情報と検知の長さ情報を組み合わせて、移動局の検知に使用されるべきコードワードを当該移動局に知らせてもよい。例えば、無線基地局はさらに受信手段を備える。受信手段は、移動局がダウンサンプリングにより取得されたコードワードを使用して検知を行った検知結果を受信できる。また、制御手段４１０は、さらに、検知結果に基づいてコードワードオフセット情報を生成し、送信手段４２０は、さらに、生成されたコードワードオフセット情報と検知の長さ情報を移動局へ送信する。これにより、移動局は、ダウンサンプリングにより取得されたコードワードを使用して検知を行った検知結果を基に、コードワードオフセット情報と検知の長さ情報に基づいて検知を再び行い、より確実な検知結果が得られる。例えば、ダウンサンプリングにより取得されたコードワードを利用して検知を行うときの最適チャネル状態を有するコードワードを参照コードワードとし、コードワードオフセット情報と検知の長さ情報に基づいて当該参照コードワード付近のコードワードの検知をさらに移動局に指示することが可能になる。この場合、送信手段４２０は、システム情報よりサンプリング周波数を含むコードブックサブセット情報を移動局に報知することと共に、ＲＲＣシグナリングにてコードワードオフセット情報と検知の長さ情報を移動局に通知できる。
【００３６】
なお、本発明のもう一つの具体例によれば、制御手段４１０は、無線基地局と無線基地局に接続された移動局との間の位置関係に基づいて、コードブックにおけるコードブックサブセットに関するコードブックサブセット情報を生成してもよい。例えば、無線基地局と無線基地局に接続された移動局との間の位置関係は、無線基地局と無線基地局と接続可能な全ての移動局との間で共通している位置関係となされる。また、例えば、無線基地局と無線基地局に接続された移動局との間の位置関係は、無線基地局と無線基地局に接続された特定な移動局との間の位置関係であってもよい。
【００３７】
上述した本発明の実施例に係る無線基地局では、コードブックセットに含まれる複数のコードワードの一部をコードブックサブセットとして決定し、且つ無線基地局がコードブックサブセットにおけるコードワードに関する情報を移動局に通知することによって、コードブックにおけるどのコードワードの検知が必要であるかを移動局に効率的に通知すると共に、通信システムのシグナリングオーバヘッドを低減させることになる。
【００３８】
図５は、本発明の一実施例に係るコードワード検知方法５００を説明するフローチャートである。コードワード検知方法５００は移動局より実行される。本発明に係る実施例では、移動局は予め複数のコードワードを含むコードワードブックを無線基地局と移動局に記憶できる。コードワード検知方法５００においては、移動局は、コードブックサブセット情報に基づき、チャネル検知を行うときに使用されるコードワードを決定できる。ここで、コードブックサブセット情報は、から図１〜３に基づいて説明したコードブックサブセット情報を送信する方法によって、基地局送信されることができる。
【００３９】
以下、本発明の一実施例に係るコードワード検知方法５００について、図５を参照して説明する。図５に示すように、ステップＳ５０１において、コードブックにおけるコードブックサブセットに関するコードブックサブセット情報を無線基地局から受信する。本発明の具体例によれば、コードブックは長期間コードブックであってもよいし、瞬間コードブックであってもよい。言い換えれば、コードブックサブセットは長期間コードブックの一部を含んでもよいし、瞬間コードブックの一部を含んでもよい。なお、シグナリングオーバヘッドおよび／または移動局の検知に必要な処理量に基づいて移動局の検知に必要なコードワードの量を決定できる。ステップＳ５０２において、受信されたコードブックサブセット情報に基づいて検知するときに使用されるコードワードを決定する。そして、ステップＳ５０３において、決定されたコードワードを使用して検知を行う。
【００４０】
本発明の一例によれば、コードブックにおけるコードワードは複数のコードブックサブセットにおけるコードワードによって構成される。具体的には、異なる空間次元に基づいて、予めコードブックを第１コードブックサブセットと第２コードブックサブセットに分け、分けられた第１コードブックサブセットと第２コードブックサブセットを記憶することとなる。例えば、コードブックは、予め垂直次元に対する第１コードブックサブセットと水平次元に対する第２コードブックサブセットに分けられる。分解する前のコードブックにおけるコードワードは、第１コードブックサブセットにおけるコードワードと第２コードブックサブセットにおけるコードワードで所定な演算を行うことにより取得され、第１コードブックサブセットにおけるコードワードの量と第２コードブックサブセットにおけるコードワードの量との和は、分解する前のコードブックにおけるコードワードの量より小さくなる。例えば、第１コードブックサブセットにおけるコードワードと第２コードブックサブセットにおけるコードワードでクロネッカー積を行ってコードブックにおけるコードワードを取得できる。
【００４１】
この場合、ステップＳ５０１で受信されたコードブックサブセット情報は第１コードブックサブセットに関する第１サブセット情報と第２コードブックサブセットに関する第２サブセット情報を含む。ステップＳ５０２において、第１サブセット情報に基づいて第１コードブックサブセットに第１コードワードを決定し、第２サブセット情報に基づいて第２コードブックサブセットに第２コードワードを決定する。例えば、第１サブセット情報は第１コードブックサブセットに対する第１ビットマップであり得る。具体的には、第１ビットマップでは第１コードブックサブセットにおける各々のコードワードに対応するビットが含まれる。第１ビットマップにおける１つのビットのビット値は１となると、移動局が検知するときに第１コードブックサブセットにおいて当該ビットに対応するコードワードを使用するように指示するが、第１ビットマップにおける１つのビットのビット値は０となると、移動局が検知するときに第１コードブックサブセットにおいて当該ビットに対応するコードワードを使用しないように指示する。同様に、第２サブセット情報は、第２コードブックサブセットに対する第２ビットマップであり、第２コードブックサブセットにおける各々のコードワードが検知するときに使用されるか否かについて指示する。ステップＳ５０２において、対応するビット値が１であるコードワードを第１コードブックサブセットから全部抽出して第１コードワードとし、対応するビット値が１であるコードワードを第２コードブックサブセットから全部抽出して第２コードワードとする。ステップＳ５０３において、第１コードワードと第２コードワードについて所定な演算を行って候補コードワードを生成し、且つ生成された候補コードワードを使用して検知を行う。
【００４２】
また、図５に示される方法は、第１サブセット情報の長さを指示する長さ情報と第２サブセット情報の長さを指示する長さ情報を無線基地局から受信することをさらに備えることが好ましい。長さ情報は、無線基地局よりそのアンテナポートのレイアウトに基づいて決定され、且つ第１コードブックサブセットと第２コードブックサブセットの次元を指示する。ステップＳ５０２においては、長さ情報に基づいて第１コードブックサブセットに対応する第１サブセット情報の長さと第２コードブックサブセットに対応する第２サブセット情報の長さを決定し、第１サブセット情報と第２サブセット情報をコードブックサブセット情報から抽出する。
【００４３】
本発明のもう一つの具体例によれば、移動局は、コードブックサブセット情報に応じ、コードブックにおける一部のコードワードを選択してコードブックサブセットとし、且つ選択されたコードブックサブセットにおけるコードワードを検知するときに使用されるコードワードとしてもよい。
【００４４】
例えば、ステップＳ５０１で受信されたコードブックサブセット情報はサンプリング周波数を含んでもよい。この場合、ステップＳ５０２においては、サンプリング周波数に基づいてコードブック全体におけるコードワードをダウンサンプリングする共に、ダウンサンプリングより取得されたコードワードをコードブックサブセットとし、且つコードブックサブセットにおけるコードワードを検知ときに使用されるコードワードとする。本具体例において、移動局は、コードワードごとに該コードワードが検知に使用されるべきか否かに関する情報を受信する必要がなく、サンプリング周波数を含むコードブックサブセット情報のみを受信すれば検知するときに使用されるコードワードを決定できるので、シグナリングオーバヘッドは少なくなる。また、移動局には予めコードブックにおける各々のコードワードに夫々対応する複数のコードワードインデックスが記憶されることが好ましい。サンプリング周波数に基づいてコードブック全体におけるコードワードをダウンサンプリングする際には、サンプリング周波数より指示される間隔で複数のコードワードインデックスから一部のコードワードインデックスを抽出しておき、抽出された一部のコードワードインデックスに対応するコードワードをコードブックから取得してコードブックサブセットとすることが可能である。コードブックにおける各々コードワードは無線基地局から放射された、空間中で異なる方向となる信号に対応でき、近接している方向には常に類似したチャネル品質がある。移動局は、コードブックにおけるコードワードをダウンサンプリングする共に取得されたコートワードを使用して検知を行うことにより、放射空間全体をカバーした、代表性を有する方向におけるチャネル状態を取得しながら、類似したチャネル状態を有する方向を重複に検知することを回避できるので、移動局の操作は簡単化された。
【００４５】
また、例えば、ステップＳ５０１で受信されたコードブックサブセット情報はコードワードオフセット情報と検知の長さ情報を含んでもよい。具体的には、コードワードオフセット情報はコードブックにおいて検知を行うときに移動局より使用されるコードワードの最初の位置を指示しつつ、検知の長さ情報は検知を行うときに移動局より使用されるコードワードの量を指示する。この場合、ステップＳ５０２においては、コードワードオフセット情報と検知の長さ情報に基づいてコードブックにおけるコードワードをとコードブックサブセットと決定でき、且つステップＳ５０３においては、コードブックサブセットにおける各々のコードワードを使用して検知を行う。本具体例において、移動局も、コードワードごとに該コードワードが検知に使用されるべきか否かに関する情報を受信する必要がなく、コードワードオフセット情報と検知の長さ情報を含むコードブックサブセット情報のみを受信すれば検知するときに使用されるコードワードを決定できるので、シグナリングオーバヘッドは少なくなる。また、移動局には予めコードブックにおける各々のコードワードに夫々対応する複数のコードワードインデックスが記憶されることが好ましい。ステップＳ５０２においては、コードワードオフセット情報により複数のコードワードインデックスに一つの特定のインデックスを決定でき、さらに検知の長さ情報より指示された量によって当該特定のインデックスから一つまたは複数のインデックスを決定でき、そして決定されたインデックスに対応するコードワードをコードブックから取得してコードブックサブセットとする。
【００４６】
なお、移動局はさらに、サンプリング周波数、及びコードワードオフセット情報と検知の長さ情報との両方によってその検知に使われるべきであるコードワードを決定する。例えば、コードブックにおけるコードワードをダウンサンプリングし、且つこれによって取得されたコードワードを使用して検知を行った後、図５に示される方法は、ダウンサンプリングにより取得されたコードワードを使用して検知を行う検知結果を基にして、コードワードオフセット情報と検知の長さ情報に基づいて検知を再び行うように、ダウンサンプリングにより取得されたコードワードを使用して検知を行う検知結果を無線基地局へ送信し、且つコードワードオフセット情報と検知の長さ情報を無線基地局から受信することをさらに備えるため、より確実な検知結果が得られる。
【００４７】
なお、本発明のもう一つの具体例によれば、検知するときに使用されるコードワードの量の閾値を予め記憶してもよい。好ましくは、図５に示される方法は、受信されたコードブックサブセット情報に基づいて決定された、検知するときに使用されるコードワードの量は量の閾値を超えると、エラー信号を生成することをさらに備える。例えば、検知するときに移動局より使用されるコードワードの量の閾値を５と予め設置する場合、受信されたコードブックサブセット情報に基づいて決定された、検知するときに使用されるコードワードと量は６となると、エラー信号を生成する。このことにより、移動局が誤ったコードワードを使用して検知を行うことを回避する。
【００４８】
上述した本発明の実施例に係るコードワードを検知する方法では、移動局が、コードブックサブセットの一部に関するコードブックサブセット情報を無線基地局から受信する。そのため、コードブック全体にけるコードワードを受信してコードブックにおけるどのコードワードが検知のために使用されるべきかを決定する必要がなく、受信されたコードブックサブセットにおけるコードワードの情報に基づいてコードブックにおけるどのコードワードが検知のために使用されるべきかを決定する。これによって、移動局はチャネル検知を効率的に行う同時に、通信システムのシグナリングオーバヘッドを低減させる。
【００４９】
以下、本発明の実施例に係る移動局について、図６を参照して説明する。図６は、本発明の実施例に係る移動局６００のブロック図を示す。図６に示すように、移動局６００は受信手段６１０と制御手段６２０を含む。移動局６００はこれらの二つのユニット以外にも他の手段を含んでもよいが、これらの手段は本発明の実施例の内容と無関係であるため、ここではその図示及び説明を省略する。また、本発明の実施例の移動局６００によって実行された以下の操作の詳細は上記で図５を参照して説明したものと同一であるので、ここで重複を回避するために同一の詳細なものについて重複の説明を省略する。
【００５０】
受信手段６１０は、コードブックにおける、コードブックの一部が含まれるコードブックサブセットに関するコードブックサブセット情報を無線基地局から受信できる。本発明の具体例によれば、コードブックは長期間コードブックであってもよいし、瞬間コードブックであってもよい。言い換えれば、コードブックサブセットは長期間コードブックの一部を含んでもよいし、瞬間コードブックの一部を含んでもよい。なお、シグナリングオーバヘッドおよび／または移動局の検知に必要な処理量に基づいて移動局の検知に必要なコードワードの量を決定できる。制御部６２０は、受信されたコードブックサブセット情報に基づいて検知するときに使用されるコードワードを決定し、決定されたコードワードを使用して検知を行う。
【００５１】
本発明の一例によれば、コードブックにおけるコードワードは複数のコードブックサブセットにおけるコードワードによって構成される。具体的には、異なる空間次元に基づいて、予めコードブックを第１コードブックサブセットと第２コードブックサブセットに分け、分けられた第１コードブックサブセットと第２コードブックサブセットを記憶することとなる。例えば、コードブックは、予め垂直次元に対する第１コードブックサブセットと水平次元に対する第２コードブックサブセットに分けられる。分解する前のコードブックにおけるコードワードは、第１コードブックサブセットにおけるコードワードと第２コードブックサブセットにおけるコードワードで所定な演算を行うことにより取得され、第１コードブックサブセットにおけるコードワードの量と第２コードブックサブセットにおけるコードワードの量との和は、分解する前のコードブックにおけるコードワードの量より小さくなる。例えば、第１コードブックサブセットにおけるコードワードと第２コードブックサブセットにおけるコードワードでクロネッカー積を行ってコードブックにおけるコードワードを取得できる。
【００５２】
この場合、受信手段６１０より受信されたコードブックサブセット情報は第１コードブックサブセットに関する第１サブセット情報と第２コードブックサブセットに関する第２サブセット情報を含む。制御手段６２０は、第１サブセット情報に基づいて第１コードブックサブセットに第１コードワードを決定し、第２サブセット情報に基づいて第２コードブックサブセットに第２コードワードを決定できる。例えば、第１サブセット情報は第１コードブックサブセットに対する第１ビットマップであり得る。具体的には、第１ビットマップでは第１コードブックサブセットにおける各々のコードワードに対応するビットが含まれる。第１ビットマップにおける１つのビットのビット値は１となると、移動局が検知するときに第１コードブックサブセットにおいて当該ビットに対応するコードワードを使用するように指示するが、第１ビットマップにおける１つのビットのビット値は０となると、移動局が検知するときに第１コードブックサブセットにおいて当該ビットに対応するコードワードを使用しないように指示する。同様に、第２サブセット情報は、第２コードブックサブセットにおける各々のコードワードが検知するときに使用されるか否かについて指示するように、第２コードブックサブセットに対する第２ビットマップであり得る。制御手段６２０は、対応するビット値が１であるコードワードを第１コードブックサブセットから全部抽出して第１コードワードとし、対応するビット値が１であるコードワードを第２コードブックサブセットから全部抽出して第２コードワードとする。また、制御手段６２０は、第１コードワードと第２コードワードで所定な演算を行って候補コードワードを生成し、且つ生成された候補コードワードを使用して検知を行う。
【００５３】
また、受信手段６１０はさらに、第１サブセット情報の長さを指示する長さ情報と第２サブセット情報の長さを指示する長さ情報を無線基地局から受信できることが好ましい。長さ情報は、無線基地局よりそのアンテナポートのレイアウトに基づいて決定され、且つ第１コードブックサブセットと第２コードブックサブセットの次元を指示する。制御手段６２０は、長さ情報に基づいて第１コードブックサブセットに対応する第１サブセット情報の長さと第２コードブックサブセットに対応する第２サブセット情報の長さを決定し、第１サブセット情報と第２サブセット情報をコードブックサブセット情報から抽出できる。
【００５４】
本発明のもう一つの具体例によれば、移動局は、コードブックサブセット情報に応じ、コードブックにおける一部のコードワードを選択してコードブックサブセットとし、且つ選択されたコードブックサブセットにおけるコードワードを検知するときに使用されるコードワードとしてもよい。
【００５５】
例えば、受信手段６１０が受信可能なコードブックサブセット情報はサンプリング周波数を含んでもよい。この場合、制御手段６２０は、サンプリング周波数に基づいてコードブック全体におけるコードワードをダウンサンプリングする共に、ダウンサンプリングより取得されたコードワードをコードブックサブセットとし、且つコードブックサブセットにおけるコードワードを検知ときに使用されるコードワードとする。本具体例において、移動局は、コードワードごとに該コードワードが検知に使用されるべきか否かに関する情報を受信する必要がなく、サンプリング周波数を含むコードブックサブセット情報のみを受信すれば、検知するときに使用されるコードワードを決定できるので、シグナリングオーバヘッドは少なくなる。また、移動局には予めコードブックにおける各々のコードワードに夫々対応する複数のコードワードインデックスが記憶されることが好ましい。サンプリング周波数に基づいてコードブック全体におけるコードワードをダウンサンプリングする際には、制御手段６２０は、サンプリング周波数より指示される間隔で複数のコードワードインデックスから一部のコードワードインデックスを抽出しておき、抽出された一部のコードワードインデックスに対応するコードワードをコードブックから取得してコードブックサブセットとしてもよい。コードブックにおける各々コードワードは無線基地局から放射された、空間中で異なる方向となる信号に対応でき、近接している方向には常に類似したチャネル品質がある。移動局は、コードブックにおけるコードワードをダウンサンプリングする共に取得されたコートワードを使用して検知を行うことにより、放射空間全体をカバーした、代表性を有する方向におけるチャネル状態を取得しながら、類似したチャネル状態を有する方向を重複に検知することを回避できるので、移動局の操作は簡単化された。
【００５６】
また、例えば、受信手段６１０より受信されたコードブックサブセット情報はコードワードオフセット情報と検知の長さ情報を含んでもよい。具体的には、コードワードオフセット情報はコードブックにおいて検知を行うときに移動局より使用されるコードワードの最初の位置を指示しつつ、検知の長さ情報は検知を行うときに移動局より使用されるコードワードの量を指示する。この場合、制御手段６２０は、コードワードオフセット情報と検知の長さ情報に基づいてコードブックにおけるコードワードをとコードブックサブセットと決定でき、且つ制御手段６２０は、コードブックサブセットにおける各々のコードワードを使用して検知を行う。本具体例において、移動局も、コードワードごとに該コードワードが検知に使用されるべきか否かに関する情報を受信する必要がなく、コードワードオフセット情報と検知の長さ情報を含むコードブックサブセット情報のみを受信すれば、検知するときに使用されるコードワードを決定できるので、シグナリングオーバヘッドは少なくなる。また、移動局にはコードブックにおける各々のコードワードに夫々対応する複数のコードワードインデックスが予め記憶されることが好ましい。制御手段６２０は、コードワードオフセット情報により複数のコードワードインデックスに一つの特定のインデックスを決定でき、さらに検知の長さ情報より指示された量によって当該特定のインデックスから一つまたは複数のインデックスを決定でき、そして決定されたインデックスに対応するコードワードをコードブックから取得してコードブックサブセットとする。
【００５７】
なお、移動局はさらに、サンプリング周波数、及びコードワードオフセット情報と検知の長さ情報との両方によってその検知に使われるべきであるコードワードを決定する。例えば、移動局は送信手段をさらに備えてもよい。コードブックにおけるコードワードをダウンサンプリングし、且つこれによって取得されたコードワードを使用して検知を行った後、送信手段は、ダウンサンプリングにより取得されたコードワードを使用して検知を行う検知結果を無線基地局へ送信でき、受信手段６１０は、コードワードオフセット情報と検知の長さ情報を無線基地局から受信できる。そのため、制御手段６２０がダウンサンプリングにより取得されたコードワードを使用して検知を行う検知結果を基にして、コードワードオフセット情報と検知の長さ情報に基づいて検知を再び行うようになり、より確実な検知結果が得られる。
【００５８】
なお、本発明のもう一つの具体例によれば、移動局は、検知するときに使用されるコードワードの量の閾値を予め記憶してもよい。好ましくは、制御手段はさらに、受信されたコードブックサブセット情報に基づいて決定された、検知するときに使用されるコードワードの量は量の閾値を超えるのを決定でき、且つ受信されたコードブックサブセット情報に基づいて決定された、検知するときに使用されるコードワードの量は量の閾値を超えると、エラー信号を生成する。例えば、検知するときに移動局より使用されるコードワードの量の閾値を５と予め設置する場合、受信されたコードブックサブセット情報に基づいて決定された、検知するときに使用されるコードワードと量は６となると、エラー信号を生成する。このことにより、移動局が誤ったコードワードを使用して検知を行うことを回避する。
【００５９】
上述した本発明の実施例に係る移動局が、コードブックサブセットの一部に関するコードブックサブセット情報を無線基地局から受信し、且つ、コードブック全体にけるコードワードを受信することによりコードブックにおけるどのコードワードが検知のために使用されるべきかを決定する必要がなく、受信されたコードブックサブセットにおけるコードワードの情報に基づいてコードブックにおけるどのコードワードが検知のために使用されるべきかを決定することによって、移動局はチャネル検知を効率的に行う同時に、通信システムのシグナリングオーバヘッドを低減させる。
【００６０】
上述の無線基地局４００と移動局６００の操作は、ハードウェアによって実現されてもよいし、プロセッサによって実行されるソフトウェアモジュールによって実現されてもよい。或いは、両方の組み合わせによって実現されてもよい。
【００６１】
ソフトウェアモジュールは、例えば、ＲＡＭ（random  access  memory）、フラッシュメモリ、ＲＯＭ（read  only  memory）、ＥＰＲＯＭ（erasable  programmable  ROM）、ＥＥＰＲＯＭ（electronically  erasable  and  programmable  ROM）、レジスタ、ハードディスク、リムーバブル・ディスク及びＣＤ−ＲＯＭなどの任意のフォーマットの記録媒体に設けられてもよい。
【００６２】
プロセッサが記録媒体に情報を書き込み、記憶媒体から情報を読み出すことができるように、このような記録媒体はプロセッサに接続される。このような記録媒体は、プロセッサに蓄積されてもよい。かかる記録媒体およびプロセッサは、ＡＳＩＣに配置されてもよい。このようなＡＳＩＣは、無線基地局４００と移動局６００に配置されてもよい。個別部品としては、このような記録媒体やプロセッサは、無線基地局４００と移動局６００に配置されてもよい。
【００６３】
このように、本発明を詳細に上述の実施例により説明してきた。しかしながら、当業者にとって、本発明が上述の実施例に限定されないことは明らかであろう。本発明は、特許請求の範囲によって定義される本発明の範囲を逸脱することなく修正及び変更した態様として実施することができる。従って、明細書の説明は例を示すためだけであり、本発明の意味を限定するものではない。
【図１】
2017038369.tif 000003
【図２】
2017038369.tif 000004
【図３】
2017038369.tif 000005
【図４】
2017038369.tif 000006
【図５】
2017038369.tif 000007
【図６】
2017038369.tif 000008